(57)【要約】【課題】  外壁パネルを屋外側、屋内側の何れからでも建て込んで梁に連結できる。【解決手段】  固定金具２の取付け部３を外壁パネル１１の上端部に取付けるベース金具１２の被取付け部１３に取付ける形態が、挟持用突片１がベース金具１２から側方に離れる側に位置する取付け状態と挟持用突片１がベース金具１２側に位置する取付け状態との２形態ある。屋内側又は屋外側から凹部１５の縦向き突片１６への嵌め込み部分を回動支点として外壁パネル１１を起立する際、ボルト９、ナット１０による締付けが緩い状態において挟持片５が梁１７の下フランジ１８の下方を通過し且つボルト９、ナット１０による締付けをきつくした状態において起立した挟持片５と挟持用突片１とで梁１７の下フランジ１８を屋内外方向の両側から挟持するように構成する。【選択図】        図１
2005146783.tif 000002
【特許請求の範囲】
【請求項１】
一端部に挟持用突片を上方に突設した固定金具の他端部に挟持用突片の突出基部よりも下位置となる取付け部と連結部とを設け、他端部に挟持片を上方に突設した可動金具の一端部に挟持片の突出基部より下位置となる被連結部を設け、上記被連結部を連結部にばね材を介してボルト、ナットにより連結すると共に、ボルト、ナットによる締付けが緩い状態ではばね材により挟持片が下となるように可動金具が固定金具に対して傾斜姿勢となり、ばね材に抗してボルト、ナットを締付けて該締付け力がきつい状態では挟持片が起立して上方に移動すると共に起立姿勢の挟持片が挟持用突片側に向けて移動するように構成し、外壁パネルの上端部に取付けられるベース金具の屋内外方向の一端部に設けた被取付け部に固定金具の取付け部を固着具により取付け、被取付け部への取付け部の固着具による取付けを、挟持用突片がベース金具から側方に離れる側に位置する取付け状態と挟持用突片がベース金具側に位置する取付け状態との２形態の取付け状態を選択的に取付け自在に構成し、外壁パネルの下端面に凹部を設け、基礎又は下階の梁よりなる下基台の上面に外壁パネルの下端面の凹部が嵌め込まれる縦向き突片を突設し、屋内側又は屋外側から傾斜した外壁パネルの下端面の凹部を縦向き突片にはめ込んで該嵌め込み部分を回動支点として外壁パネルを起立する際、ボルト、ナットによる締付けが緩い状態において挟持片が梁の下フランジの下方を通過し且つボルト、ナットによる締付けをきつくした状態において起立した挟持片と挟持用突片とで梁の下フランジを屋内外方向の両側から挟持し、該挟持状態において被取付け部の屋内外方向のセンターが梁の下フランジの屋内外方向のセンターと上下方向において一致することを特徴とする外壁パネルの取付け構造。
【請求項２】
固定金具の取付け部を上端が挟持用突片の突出下端よりも下方に位置する垂直片により構成し、ベース金具に外壁パネルの上端面部に固着する水平な固着部を設けると共に該水平な固着部の一端部から上方に垂直に被取付け部となる垂直突片を突設し、垂直突片の屋外側面、屋内側面のいずれかに垂直片を重ねて固着具により取付け、挟持片と挟持用突片とで梁の下フランジを屋内外方向の両側から挟持した状態で垂直突片の屋内外方向のセンターが梁の下フランジの屋内外方向のセンターと上下方向において一致することを特徴とする請求項１記載の外壁パネルの取付け構造。
【発明の詳細な説明】
【技術分野】
【０００１】
本発明は、外壁パネルをクレーンで吊下げて建て込むようにした外壁パネルの取付け構造に関するものである。
【背景技術】
【０００２】
従来から外壁パネルの建て込みは、まず建築現場において基礎の上に柱を立設すると共に柱間に梁を架設して建物の骨組みとなる軸組み体を形成し、その後、軸組み体に外壁パネルを建て込んで組込むのであるが、この外壁パネルの建て込みに当たってはクレーンで外壁パネルを吊下げて建て込むようになっている。このようにクレーンで外壁パネルを吊下げて建て込む従来例としては、例えば特許文献１が知られている。
【０００３】
この特許文献１に示されたものは、図１３に模式的に示すように、基礎又は下階の梁よりなる下基台５１の上面に縦向き突片５２を突設し、外壁パネル５０の下端面に上記縦向き突片５２に嵌め込まれる凹部５３を設け、外壁パネル５０の上端面に、固定金具５５を取付け、固定金具５５の一端部に上方に向けて突設する挟持用突片５４を設けると共に他端部に該挟持用突片５４の突出基部よりも下位置となる連結部６２を設け、可動金具５７の他端部に上方に向けて挟持片５６を突設すると共に一端部に下方に向けて被連結部６３を突設し、この可動金具５７の被連結部６３を固定金具５５の連結部６２にボルト５８、ナット５９により取付け、ボルト５８、ナット５９による締付けが緩い状態では挟持片５６が下となるように可動金具５７が固定金具５５に対して傾斜姿勢となり、ボルト５８、ナット５９を締付けて該締付け力がきつい状態では挟持片５６が回動しながら起立して上方に移動すると共に起立姿勢の挟持片５６が挟持用突片５４側に向けて移動するように構成し、クレーンで図１３の実線のように傾斜状態に吊下げた外壁パネル５０の下端面の凹部５３を縦向き突片５２にはめ込んで該嵌め込み部分を回動支点として外壁パネル５０を起立する際、上記固定金具５５に可動金具５７を取付けているボルト５８、ナット５９による締付けを緩い状態として可動金具５７の挟持片５６が梁６０の下フランジ６１の下方を通過できるようにし、外壁パネル５０を回動して図１３の想像線に示すように起立させることで梁６０の下フランジ６１を上記の挟持片５６が通過した後に、ボルト５８、ナット５９による締付けをきつくして挟持片５６を起立させると共に起立した挟持片５６を挟持用突片５４側に移動して挟持片５６と挟持用突片５４とで梁６０の下フランジ６１を屋内外方向の両側から挟持するようになっている。
【０００４】
固定金具５５はあらかじめ工場において外壁パネル５０の上端面部に固着されるものであるが、工場における固着段階で、挟持用突片５４が屋外側に位置するように固定金具５５を外壁パネル５０の上端面部に固着するか、あるいは挟持用突片５４が屋内側に位置するように固定金具５５を外壁パネル５０の上端面部に固着するかが決定される。したがって、現場における施工では、該当する外壁パネル５０は例えば図１３のように挟持用突片５４が屋内側に位置している場合、該外壁パネル５０を図１３の実線のようにように屋内側（図１３においてＡで示す）において傾斜させた状態でクレーンにより吊下げ、回動させて起立させるようになっている。したがって、このものにおいては、あらかじめ工場において挟持用突片５４を屋内側に位置するように取付けた外壁パネル５０は、現場において屋外側（図１３においてＢで示す）で傾斜させて吊下げた状態で回動させて起立させようとしても固定金具５５の挟持用突片５４が梁６０の下フランジ６１に当たって外壁パネル５０を梁６０下に起立させることができない。
【０００５】
同様に、あらかじめ工場において挟持用突片５４を屋外側に位置するように取付けた外壁パネル５０は屋内側で傾斜させて吊下げた状態で回動させて起立させようとしても固定金具５５の挟持用突片５４が梁６０の下フランジ６１に当たって外壁パネル５０を梁６０下に起立させることができない。
【０００６】
ところで、現場の状況により、クレーンの設置位置の関係や屋内側に外壁パネル５０を傾斜した状態で吊下げて回動させることができるスペースが無いような場合や、あるいは、クレーンの設置位置の関係や隣地との関係で屋外側に傾斜した状態で外壁パネル５０を吊下げることができないような場合があるが、上記のようにあらかじめ工場で固定金具５５を固着する際に挟持用突片５４の位置が屋外側かあるいは屋内側のいずれかに固定的に決定される従来例においては、上記のような現場の様々な状況に的確に対応できず、現場における外壁パネル５０の建て込み作業が極めて面倒となる事態が発生する。
【０００７】
また、従来にあっては、外壁パネル５０を屋内側から建て込んでも、屋外側から建て込んでも梁６０に対する外壁パネル５０の屋内外方向の位置関係を同じにするには外壁パネル５０の上端面の所定位置に固着するための固定金具５５として屋内側専用の固定金具５５と、屋外側専用の固定金具５５との２種類の固定金具５５が必要となるという問題がある。
【特許文献１】実開平５−２８８０９号公報
【発明の開示】
【発明が解決しようとする課題】
【０００８】
本発明は上記の従来の問題点に鑑みて発明したものであって、現場の状況に応じて、外壁パネルを屋外側から建て込んで上端部を梁に連結する場合、外壁パネルを屋内側から建て込んで上端部を梁に連結する場合のいずれの場合も共通の金具を用いて簡単に外壁パネルの上端部を梁に取付けることができる外壁パネルの取付け構造を提供することを課題とするものである。
【課題を解決するための手段】
【０００９】
上記課題を解決するために本発明に係る外壁パネルの取付け構造は、一端部に挟持用突片１を上方に突設した固定金具２の他端部に挟持用突片１の突出基部よりも下位置となる取付け部３と連結部４とを設け、他端部に挟持片５を上方に突設した可動金具６の一端部に挟持片５の突出基部より下位置となる被連結部７を設け、上記被連結部７を連結部４にばね材８を介してボルト９、ナット１０により連結すると共に、ボルト９、ナット１０による締付けが緩い状態ではばね材８により挟持片５が下となるように可動金具６が固定金具２に対して傾斜姿勢となり、ばね材８に抗してボルト９、ナット１０を締付けて該締付け力がきつい状態では挟持片５が起立して上方に移動すると共に起立姿勢の挟持片５が挟持用突片１側に向けて移動するように構成し、外壁パネル１１の上端部に取付けられるベース金具１２の屋内外方向の一端部に設けた被取付け部１３に固定金具２の取付け部３を固着具１４により取付け、被取付け部１３への取付け部３の固着具１４による取付けを、挟持用突片１がベース金具１２から側方に離れる側に位置する取付け状態と挟持用突片１がベース金具１２側に位置する取付け状態との２形態の取付け状態を選択的に取付け自在に構成し、外壁パネル１１の下端面に凹部１５を設け、基礎又は下階の梁よりなる下基台２２の上面に外壁パネル１１の下端面の凹部１５が嵌め込まれる縦向き突片１６を突設し、屋内側又は屋外側から傾斜した外壁パネル１１の下端面の凹部１５を縦向き突片１６にはめ込んで該嵌め込み部分を回動支点として外壁パネル１１を起立する際、ボルト９、ナット１０による締付けが緩い状態において挟持片５が梁１７の下フランジ１８の下方を通過し且つボルト９、ナット１０による締付けをきつくした状態において起立した挟持片５と挟持用突片１とで梁１７の下フランジ１８を屋内外方向の両側から挟持し、該挟持状態において被取付け部１３の屋内外方向のセンターＳ１が梁１７の下フランジ１８の屋内外方向のセンターＳ２と上下方向において一致することを特徴とするものである。
【００１０】
このような構成とすることで、現場における外壁パネル１１の建て込みに当たっては、クレーンで外壁パネル１１を吊下げて、下基台２２の上面に突設した縦向き突片１６に外壁パネル１１の下端面の凹部１５を嵌め込んで外壁パネル１１を傾けた状態で上記凹部１５の縦向き突片１６への嵌め込み部分を回動支点として回動して外壁パネル１１を起立させるのであるが、この場合、あらかじめボルト９、ナット１０による締付けを緩めて挟持片５が下となるように可動金具６を固定金具２に対して傾斜姿勢としておくことで、上記回動して起立させる際に挟持片５が梁１７の下フランジ１８の下方を通過して支障なく起立させることができ、起立状態でボルト９、ナット１０による締付けをきつくして、起立した挟持片５と挟持用突片１とで梁１７の下フランジ１８を強固に挟持して外壁パネル１１を取付けることができる。しかも、上記のようにクレーンで吊下げて取付けるに当たり、被取付け部１３への取付け部３の固着具１４による取付けを、挟持用突片１がベース金具１２から側方に離れる側に位置する取付け状態と挟持用突片１部がベース金具１２側に位置する取付け状態との２形態の取付け状態を選択することで、上記外壁パネル１１を屋外側で傾けて起立させたり、あるいは屋内側で傾けて起立させたり、現場の状況に応じて自由に選択できるものであり、また、挟持状態において被取付け部１３の屋内外方向のセンターＳ１が梁１７の下フランジ１８の屋内外方向のセンターＳ２と上下方向において一致するので、上記のように被取付け部１３への取付け部３の取付ける向きを屋外側からの建て込み、屋内側からの建て込みに応じて変えても、建て込み後における梁１７に対する外壁パネル１１の屋内外方向の位置を常に同じにできて、共通の金具を用いて簡単な構成で屋外側、屋内側のどちらから建て込んでも正確な位置に確実に外壁パネル１１を取付けることができるものである。
【００１１】
また、固定金具２の取付け部３を上端が挟持用突片１の突出下端よりも下方に位置する垂直片１９により構成し、ベース金具１２に外壁パネル１１の上端面部に固着する水平な固着部２０を設けると共に該水平な固着部２０の一端部から上方に垂直に被取付け部１３となる垂直突片２１を突設し、垂直突片２１の屋外側面、屋内側面のいずれかに垂直片１９を重ねて固着具１４により取付け、挟持片５と挟持用突片１とで梁１７の下フランジ１８を屋内外方向の両側から挟持した状態で垂直突片２１の屋内外方向のセンターＳ１が梁１７の下フランジ１８の屋内外方向のセンターＳ２と上下方向において一致する構成とすることが好ましい。
【００１２】
このような構成とすることで、取付け部３を構成する垂直片１９を被取付け部１３を構成する垂直突片２１の屋外側面、屋内側面のいずれかに選択的に重ねて固着具１４に取付けるだけで、簡単に屋外側から起立させて取付ける場合と、屋内側から起立させて取付ける場合とに対応して正確な位置に確実に外壁パネル１１を取付けることができるものである。
【発明の効果】
【００１３】
本発明は、被取付け部への取付け部の固着具による取付けを、挟持用突片がベース金具から側方に離れる側に位置する取付け状態と挟持用突片がベース金具側に位置する取付け状態との２形態の取付け状態を選択することで、現場の状況に応じて共通の金具を用いて外壁パネルを屋外側で傾けて起立させたり、あるいは屋内側で傾けて起立させたりという施工状態を自由に選択できて現場施工が簡単に行えるものであり、また、挟持状態において被取付け部の屋内外方向のセンターが梁の下フランジの屋内外方向のセンターと上下方向において一致するので、被取付け部への取付け部の取付ける向きを屋外側からの建て込み、屋内側からの建て込みに応じて変えても、建て込み後における梁に対する外壁パネルの屋内外方向の位置関係を常に同じにできて、共通の金具を用いて簡単な構成で屋外側、屋内側のどちらから建て込んでも正確な位置に確実に外壁パネルを取付けることができるものである。
【発明を実施するための最良の形態】
【００１４】
以下、本発明を添付図面に示す実施形態に基いて説明する。
【００１５】
外壁パネル１１は、図３、図７に示すように、パネル枠２３の屋外側の面に外装材２４を取着したもので、必要に応じてパネル枠２３の屋内側の面に内装用下地面板を取着してあってもよい。外壁パネル１１の上端部には連結金物２５が取付けてあり、また外壁パネル１１の下端面部には断面逆Ｖ字状をした凹部１５が設けてある。
【００１６】
外壁パネル１１の上端面部に取付けられる連結金物２５は、図１、図２に示すように、ベース金具１２と、固定金具２と、可動金具６とで構成してある。
【００１７】
ベース金具１２は図１、図２、図１１に示すように、外壁パネル１１の上端面部に固着する水平な平板状をした固着部２０の一端部から上方に垂直に垂直突片２１を突設して構成してあり、垂直突片２１には取付け孔２１ａが設けてあり、この取付け孔２１ａを設けた垂直突片２１が被取付け部１３となっている。垂直突片２１は図１１に示すように２個設けてあって、垂直突片２１間が隙間２１ｂとなっている。
【００１８】
固定金具２は図１、図２、図１２に示すように、一端部に挟持用突片１を上方に向けて垂直に突設し、他端部側に挟持用突片１の突出基部よりも下位置となる取付け部３と連結部４とを設けてある。図１２に示す実施形態においては、水平な横片２６の一端部から上方に挟持用突片１を上方に向けて垂直に突設し、横片２６の他端部から下方に連結部４となる縦片２７を下方に向けて垂設し、縦片２７の下端の両端部からそれぞれ横片２６の突出方向と反対方向に向けて水平な２つの下横片２８を連出し、各下横片２８の先端から上方に取付け部３を構成する垂直片１９を突出してある。取付け部３を構成する垂直片１９には取付け孔１９ａが設けてある。２つの下横片２８間及び２つの縦片２７間は隙間２９となっている。縦片２７の中央部には上下に長い長孔よりなるボルト通し孔３０が設けてあり、ボルト通し孔３０の両側には弾性片係止孔３１が設けてある。また、横片２６の突出先端部の中央には切欠き部４２が設けてあって、この切欠き部４２の両側に引掛け部３２が設けてある。
【００１９】
可動金具６は、図１、図２に示すように、板状をした中央片３３の一端部から下方に中央片３３に対して垂直に孔（図示せず）を有する脚片３４を垂設してあり、この脚片３４が被連結部７を構成している。また、中央片３３の他端部から上方に中央片３３に対して垂直に挟持片５を突設してある。中央片３３の脚片３４を垂設した方の端部に板ばねよりなるばね材８の一端部が固定してある。ばね材８は平板ばね部３５の一端部が上記のように中央片３３に固定してあり、該平板ばね部３５の突出先端部に上方に向けて挟持片５と略平行に当たり片３６が突出してあり、平板ばね部３５の突出先端部の当たり片３６の突出基部の両側から弾性を有する逆Ｌ状をした係止片３７が連出してあり、更に、平板ばね部３５の中央片３３から突出している突出基部部分の両側から平板ばね部３５の下方位置に向けて先端に行くほど平板ばね部３５から離れるように傾斜した弾性片３８を連出してある。
【００２０】
この可動金具６を図１、図２に示すように、弾性片３８の先端部を固定金具２の縦片２７の弾性片係止孔３１に挿入して弾性的に係止し、逆Ｌ状をした係止片３７の先端を横片２６の上面に弾性し、この状態で縦片２７に設けたボルト通し孔３０から挿入したボルト９を脚片３４の孔に挿通してボルト９の先端部にナット１０を仮締付けしてある。この場合、ボルト９の締付けは、可動金具６を図１、図２に示すように固定金具２に対して傾斜した姿勢にした状態で、弾性片３８、弾性を有する係止片３７によるばね力と、ボルト９とナット１０との仮締付け力とでバランスをとって該傾斜姿勢を保持出来る程度に締付けるものであり、ボルト９の軸部の突出基部に設けたワッシャ３９の端部が縦片２７と横片２６とのなすコーナ部分に当たり（この際、ボルト９の頭部が切欠き部４２に位置する）、ナット１０が脚片３４に当たって弾性片３８、弾性を有する係止片３７によるばね力を支持している。
【００２１】
上記のように可動金具６を取付けた固定金具２は取付け部３をベース金具１２の被取付け部１３にボルト、ナットのような固着具１４により着脱自在に取付けるようになっている。
【００２２】
ここで、ベース金具１２の被取付け部１３に固定金具２の取付け部３を固着具１４によって着脱自在に取付けるに当たっては、図１、図２に示すように、固定金具２の挟持用突片１がベース金具１２から側方に離れる側に位置する取付け状態と、挟持用突片１がベース金具１２側に位置する取付け状態との２形態の取付け状態が可能で、この２形態の取付け状態のうち、いずれかの取付け状態を選択して被取付け部１３に取付け部３を着脱自在に取付ける。このベース金具１２への固定金具２の取付けの２形態の選択、取付け形態の変更は現場においてボルト、ナットのような固着具１４による固着を解除して容易に行える。
【００２３】
すなわち、添付図面に示す実施形態では、図１のように被取付け部１３を構成する垂直突片２１の屋外側面（垂直突片２１の固着部２０側を向いた面）に取付け部３を構成する垂直片１９を当接してボルト、ナットのような固着具１４により固着する取付け形態（この場合は挟持用突片１がベース金具１２側に位置する）と、図２に示すように垂直突片２１の屋内側面（垂直突片２１の固着部２０と反対側を向いた面）に取付け部３を構成する垂直片１９を当接してボルト、ナットのような固着具１４により固着する取付け形態（この場合は挟持用突片１がベース金具１２から側方に離れる側に位置する）との２形態のうちいずれかの取付け形態を現場の状況じ応じて選択するようになっている。
【００２４】
上記のような構成の連結金物２５は、外壁パネル１１の上端部の所定位置に取付けられる。連結金物２５の取付けに当たっては、連結金物２５の一構成部材であるベース金具１２の固着部２０を外壁パネル１１の上端部の所定位置に取付けることにより行うものである。つまり、固定金具２のベース金具１２への取付ける向きが上記２形態のうちいずれであってもベース金具１２は外壁パネル１１の上端面の決められた所定位置に固定される。添付図面に示す実施形態では、ベース金具１２の水平な平板状をした固着部２０を外壁パネル１１の上端面の所定位置に載置して固着具（図示せず）により固着することで取付けてある。この場合、ベース金具１２を外壁パネル１１の上端面の所定位置に固着した状態で、ベース金具１２の被取付け部１３（実施形態では垂直突片２１）の屋内外方向のセンターＳ１は屋外側に外装材２４を取着した外壁パネル１１の屋内外方向のセンターＳ３から屋内側又は屋外側にずれて位置するようになっている。このように、連結金物２５のベース金具１２が外壁パネル１１の決められた所定位置に取付けられる。
【００２５】
このように上端部の所定位置に連結金物２５のベース金具１２を取付け且つ下端面部に断面逆Ｖ字状をした凹部１５を有する外壁パネル１１を現場で建て込むには下記のようにして行うものである。
【００２６】
すなわち、下基台２２を構成する基礎２２ａ上に柱（図示せず）を立設し、柱間に梁１７を架設して建物の軸組み体を構成する。次に、該軸組み体の基礎２２ａと下階の梁１７の間、あるいは上下階の梁１７間に外壁パネル１１を建て込むのであるが、この場合、外壁パネル１１を屋外側（軸組み体の外側）又は屋内側（軸組み体の内側）においてクレーンにより吊下げて建て込み作業を行うものである。
【００２７】
ここで、現場の状況に応じて、外壁パネル１１を屋外側からクレーンで吊下げて建て込む場合には、挟持用突片１がベース金具１２側に位置するように被取付け部１３に取付け部３を取付け、外壁パネル１１を屋内側からクレーンで吊下げて建て込む場合には、挟持用突片１がベース金具１２から側方に離れる側に位置するように被取付け部１３に取付け部３を取付ける。
【００２８】
図３〜図６は外壁パネル１１を屋外側でクレーンにより吊下げて建て込みを行う場合の建て込み順序を示し、図７〜図１０は外壁パネル１１を屋内側でクレーンにより吊下げて建て込みを行う場合の建て込み順序を示している。添付図面において屋内側をＡ、屋外側をＢで示している。
【００２９】
外壁パネル１１を基礎２２ａと下階の梁１７の間に建て込む場合には基礎２２ａが下基台２２となり、上下階の梁１７間に外壁パネル１１を建て込む場合には下階の梁１７が下基台２２となる。この下基台２２の上面には上方に向けて突出する縦向き突片１６を有する断面Ｌ状をした下支持金具４１が固着してある。
【００３０】
そして、外壁パネル１１を図３又は図７のように屋外側又は屋内側においてクレーンで吊下げて外壁パネル１１を斜めにした状態で下端面の断面逆Ｖ字状をした凹部１５を下支持金具４１の縦向き突片１６に嵌め込み支持させる。
【００３１】
次に、上記のようにクレーンで斜めに吊下げた外壁パネル１１を凹部１５の縦向き突片１６への嵌め込み部分を回動支点として屋外側又は屋内側において回動させて（図３又は図７の矢印方向に回動させて）垂直に起立させる。このように凹部１５の縦向き突片１６への嵌め込み部分を回動支点として外壁パネル１１を回動すると、図４又は図８に示すようにＨ鋼よりなる梁１７（外壁パネル１１を下階に建て込む場合には下階の梁１７、外壁パネル１１を上階に建て込む場合には上階の梁１７）の下フランジ１８の一側端の下方を傾斜した可動金具６の一端部にある挟持片５が通過して該下フランジ１８の他側縁の位置又は他側端をやや越えた位置まで至ると可動金具６に設けたばね材８の当たり片３６が該下フランジ１８の一側縁に当たる。
【００３２】
そこで、更に外壁パネル１１を回動すると、弾性片３８、弾性を有する係止片３７のばね力に抗して固定金具２に対して可動金具６が相対的に移動する。この場合、横片２６に弾接している逆Ｌ状をした係止片３７の先端が横片２６上面を摺りながら引掛け部３２側に向けて移動し、引掛け部３２に至った時点で図５又は図９に示すように弾性力により引掛け部３２に弾入する。これにより平板ばね部３５が横片２６上面に当たって水平姿勢となり、同時に可動金具６の中央片３３がほぼ水平となり、挟持片５がほぼ垂直に起立して該挟持片５の上端が梁１７の下フランジ１８の他側縁のやや外側方で且つ下フランジ１８よりも上方に突出する。したがって、この状態では梁１７の下フランジ１８の両側縁の外側に当たり片３６と挟持片５とが位置するため、該当たり片３６と挟持片５とで仮保持して起立状態の外壁パネル１１が倒れるのを防止するようになっており、この仮保持状態になるとクレーンによる外壁パネル１１の吊下げを解除しても外壁パネル１１は倒れない。この場合、挟持用突片１が当たり片３６よりも外側方において梁１７の下フランジ１８の一端縁と対向している。
【００３３】
この図５又は図９に示す状態で、ボルト９を弾性片３８のばね力に抗して締付けることで、挟持片５と挟持用突片１とが互いに近づくように可動金具６を固定金具２に対して移動して図６又は図１０に示すように挟持片５と挟持用突片１とで梁１７の下フランジ１８の両側縁を屋内側、屋外側から挟持して本固定するものである。
【００３４】
この場合、挟持状態において被取付け部１３の屋内外方向のセンターＳ１（実施形態では垂直突片２１の屋内外方向のセンター）が梁１７の下フランジ１８の屋内外方向のセンターＳ２と上下方向において一致するように設定してあり、これにより上記のように被取付け部１３への取付け部３の取付ける向きを屋外側からの建て込み、屋内側からの建て込みに応じて変えても、建て込み後における梁１７に対する外壁パネル１１が同じ位置関係となるようにしてあり、共通の金具を用いて簡単な構成で屋外側、屋内側のどちらから建て込んでも正確な位置に確実に外壁パネル１１を取付けることができるようになっている。
【００３５】
ところで、上記のようにして屋外側又は屋内側において外壁パネル１１をクレーンにより吊下げて建て込み作業を行うに当たり、現場の状況により、クレーンの設置位置の関係、あるいは、屋内側に外壁パネル１１を傾斜した状態で吊下げて回動させることができるスペースが無いような場合、あるいは、隣地との関係等の様々な理由によりクレーンで吊下げて外壁パネル１１を建て込む作業に現場において以下のような制約がある。つまり、クレーンで吊下げて外壁パネル１１を建て込む作業が屋外側からしか出来ない場合、あるいは屋外側から建て込み作業をするのが作業上容易な場合、あるいは逆に屋内側からしか建て込み作業が出来ない場合、あるいは屋内側から建て込み作業をするのが作業上容易な場合等の種々の制約がある。このような現場における外壁パネル１１の建て込み上の様々な制約があっても、本発明においては、前述のように、被取付け部１３への取付け部３の固着具１４による取付けに当たって、挟持用突片１がベース金具１２から側方に離れる側に位置する取付け状態か、挟持用突片１部がベース金具１２側に位置する取付け状態かのいずれかの取付け形態を選択して取付けることで、共通の連結金物２５を用いて、外壁パネル１１を屋外側で傾けて起立させたり、あるいは屋内側で傾けて起立させたりすることが容易に選択できるものであって、現場における外壁パネル１１の建て込み作業がきわめて容易に行えるものである。
【図面の簡単な説明】
【００３６】
【図１】本発明に用いる連結金物を示し、ベース金具に固定金具を取付ける一形態を示す斜視図である。
【図２】同上のベース金具に固定金具を取付ける他の形態を示す斜視図である。
【図３】同上の図１の形態の連結金物を取付けた外壁パネルの建て込み順序を示す説明図である。
【図４】同上の外壁パネルの建て込み順序を示す説明図である。
【図５】同上の外壁パネルの建て込み順序を示す説明図である。
【図６】同上の外壁パネルの建て込み順序を示す説明図である。
【図７】同上の図２の形態の連結金物を取付けた外壁パネルの建て込み順序を示す説明図である。
【図８】同上の外壁パネルの建て込み順序を示す説明図である。
【図９】同上の外壁パネルの建て込み順序を示す説明図である。
【図１０】同上の外壁パネルの建て込み順序を示す説明図である。
【図１１】同上に用いるベース金具を示し、（ａ）は平面図であり、（ｂ）は側面図であり、（ｃ）は正面図である。
【図１２】同上に用いる固定金具を示し、（ａ）は平面図であり、（ｂ）は側面図であり、（ｃ）は正面図である。
【図１３】従来例における外壁パネルの建て込みを示す説明図である。
【符号の説明】
【００３７】
１  挟持用突片
２  固定金具
３  取付け部
４  連結部
５  挟持片
６  可動金具
７  被連結部
８  ばね材
９  ボルト
１０  ナット
１１  外壁パネル
１２  ベース金具
１３  被取付け部
１４  固着具
１５  凹部
１６  縦向き突片
１７  梁
１８  下フランジ
１９  垂直片
２０  固着部
２１  垂直突片
２２  下基台
【図１】
2005146783.tif 000003
【図２】
2005146783.tif 000004
【図３】
2005146783.tif 000005
【図４】
2005146783.tif 000006
【図５】
2005146783.tif 000007
【図６】
2005146783.tif 000008
【図７】
2005146783.tif 000009
【図８】
2005146783.tif 000010
【図９】
2005146783.tif 000011
【図１０】
2005146783.tif 000012
【図１１】
2005146783.tif 000013
【図１２】
2005146783.tif 000014
【図１３】
2005146783.tif 000015